(57)【要約】【課題】互いに直列接続されている複数のセルを有する電池において、各セルの性能は電池の使用によってばらついてくる可能性があり、性能が低下したセルによって蓄電池そのものの充放電が不可能になって性能が低下していないセルが無駄となる虞があった。【解決手段】決定装置は、二次電池に含まれる複数のセルのそれぞれの、現在の最大出力を示す現在出力情報および将来の最大出力の低下度合を示す低下度合情報を取得する取得部と、複数のセルのそれぞれについて、現在の最大出力および将来の最大出力の低下度合に基づき、将来に充放電可能な総仕事量を特定する特定部と、複数のセルのうち、総仕事量が予め定められた仕事量範囲に入る２個以上のセルによって構成される組み合わせを決定する決定部と、組み合わせを、二次電池内で互いに並列接続するセルの組み合わせとして示す情報を出力する出力部とを備える。【選択図】図１
2020187827.tif 000002
【特許請求の範囲】
【請求項１】
二次電池に含まれる複数のセルのそれぞれの、現在の最大出力を示す現在出力情報および将来の最大出力の低下度合を示す低下度合情報を取得する取得部と、
前記複数のセルのそれぞれについて、前記現在の最大出力および前記将来の最大出力の低下度合に基づき、将来に充放電可能な総仕事量を特定する特定部と、
前記複数のセルのうち、前記総仕事量が予め定められた仕事量範囲に入る２個以上のセルによって構成される組み合わせを決定する決定部と、
前記組み合わせを、前記二次電池内で互いに並列接続するセルの組み合わせとして示す情報を出力する出力部と
を備える、決定装置。
【請求項２】
前記特定部は、前記複数のセルのそれぞれについて、前記現在の最大出力が予め定められた複数の出力範囲の何れに入るのかを特定し、且つ、前記将来の最大出力の低下度合が予め定められた複数の低下度合範囲の何れに入るのかを特定し、前記複数の出力範囲のそれぞれに対応する値と前記複数の低下度合範囲のそれぞれに対応する値とを乗算することにより得られる複数の前記総仕事量のうちから、特定した前記出力範囲および前記低下度合範囲の組み合わせに対応する前記総仕事量を特定する、請求項１に記載の決定装置。
【請求項３】
前記複数のセルの前記現在出力情報および前記低下度合情報に基づいて、前記複数の出力範囲、前記複数の低下度合範囲、前記複数の総仕事量、および、前記仕事量範囲を設定する設定部を更に備える、請求項２に記載の決定装置。
【請求項４】
前記特定部は、前記複数のセルのそれぞれについて、前記現在の最大出力と前記将来の最大出力の低下度合とを乗算することにより得られる値に対応する前記総仕事量を特定する、請求項１に記載の決定装置。
【請求項５】
前記複数のセルについて特定された複数の前記総仕事量に基づき前記仕事量範囲を設定する設定部を更に備える、請求項４に記載の決定装置。
【請求項６】
前記出力部は、決定された複数の前記組み合わせを前記二次電池内で互いに直列接続することを示す情報を出力する、請求項１から５のいずれか一項に記載の決定装置。
【請求項７】
前記取得部は、
前記二次電池の将来の利用先が電気で駆動する車両であるか否かを示す車両情報、および、前記複数のセルのそれぞれの現在の劣化状態を示す劣化情報を取得し、
前記車両情報および前記劣化情報に基づき前記将来の最大出力の低下度合を予測することによって、前記複数のセルのそれぞれの前記低下度合情報を取得する、請求項１から６のいずれか一項に記載の決定装置。
【請求項８】
請求項１から７のいずれか一項に記載の決定装置を備える二次電池。
【請求項９】
二次電池に含まれる複数のセルのそれぞれの、現在の最大出力を示す現在出力情報および将来の最大出力の低下度合を示す低下度合情報を取得する取得段階と、
前記複数のセルのそれぞれについて、前記現在の最大出力および前記将来の最大出力の低下度合に基づき、将来に充放電可能な総仕事量を特定する特定段階と、
前記複数のセルのうち、前記総仕事量が予め定められた仕事量範囲に入る２個以上のセルによって構成される組み合わせを決定する決定段階と、
前記組み合わせを、前記二次電池内で互いに並列接続するセルの組み合わせとして示す情報を出力する出力段階と
を備える、決定方法。
【請求項１０】
コンピュータに請求項９に記載の決定方法を実行させるためのプログラム。
【発明の詳細な説明】
【技術分野】
【０００１】
本発明は、決定装置、二次電池、決定方法およびプログラムに関する。
【背景技術】
【０００２】
蓄電池の動作履歴情報に基づいて蓄電池の残存価値を算出し、蓄電池の再利用先のシステムの情報を取得し、再利用先のシステムに要求される蓄電池が満たすべき需要情報の内容を満足する残存価値を有する蓄電池を選別する設備管理システムが知られている（例えば、特許文献１を参照）。
［先行技術文献］
［特許文献］
［特許文献１］  特開２０１８−０５０４５７号公報
【発明の概要】
【発明が解決しようとする課題】
【０００３】
車載のリチウムイオン電池などに代表される電池は、互いに直列接続されている複数のセルを有し、各セルの性能は電池の使用によってバラついてくる可能性がある。上記の設備管理システムでは、各セルの性能のバラつきを考慮しておらず、蓄電池の再利用先では、互いに直列接続されている複数のセルに含まれる、性能が低下したセルによって、蓄電池そのものの放電が不可能になり、他の性能が低下していないセルが無駄となる虞があった。
【課題を解決するための手段】
【０００４】
本発明の一態様においては、決定装置を提供する。決定装置は、二次電池に含まれる複数のセルのそれぞれの、現在の最大出力を示す現在出力情報および将来の最大出力の低下度合を示す低下度合情報を取得する取得部を備えてもよい。決定装置は、複数のセルのそれぞれについて、現在の最大出力および将来の最大出力の低下度合に基づき、将来に充放電可能な総仕事量を特定する特定部を備えてもよい。決定装置は、複数のセルのうち、総仕事量が予め定められた仕事量範囲に入る２個以上のセルによって構成される組み合わせを決定する決定部を備えてもよい。決定装置は、組み合わせを、二次電池内で互いに並列接続するセルの組み合わせとして示す情報を出力する出力部を備えてもよい。
【０００５】
特定部は、複数のセルのそれぞれについて、現在の最大出力が予め定められた複数の出力範囲の何れに入るのかを特定し、且つ、将来の最大出力の低下度合が予め定められた複数の低下度合範囲の何れに入るのかを特定し、複数の出力範囲と複数の低下度合範囲とを乗算することにより得られる複数の総仕事量のうちから、特定した出力範囲および低下度合範囲の組み合わせに対応する総仕事量を特定してもよい。
【０００６】
決定装置は、複数のセルの現在出力情報および低下度合情報に基づいて、複数の出力範囲、複数の低下度合範囲、複数の総仕事量、および、仕事量範囲を設定する設定部を更に備えてもよい。
【０００７】
特定部は、複数のセルのそれぞれについて、現在の最大出力と将来の最大出力の低下度合とを乗算することにより得られる値に対応する総仕事量を特定してもよい。
【０００８】
決定装置は、複数のセルについて特定された複数の総仕事量に基づき仕事量範囲を設定する設定部を更に備えてもよい。
【０００９】
出力部は、決定された複数の組み合わせを二次電池内で互いに直列接続することを示す情報を出力してもよい。
【００１０】
取得部は、現在出力情報に基づいて将来の最大出力の低下度合を予測することによって低下度合情報を取得してもよい。
【００１１】
本発明の一態様においては、上記の決定装置を備える二次電池が提供される。
【００１２】
本発明の一態様においては、決定方法を提供する。決定方法は、二次電池に含まれる複数のセルのそれぞれの、現在の最大出力を示す現在出力情報および将来の最大出力の低下度合を示す低下度合情報を取得する取得段階を備えてもよい。決定方法は、複数のセルのそれぞれについて、現在の最大出力および将来の最大出力の低下度合に基づき、将来に充放電可能な総仕事量を特定する特定段階を備えてもよい。決定方法は、複数のセルのうち、総仕事量が予め定められた仕事量範囲に入る２個以上のセルによって構成される組み合わせを決定する決定段階を備えてもよい。決定方法は、組み合わせを、二次電池内で互いに並列接続するセルの組み合わせとして示す情報を出力する出力段階を備えてもよい。
【００１３】
本発明の一態様においては、コンピュータに上記の決定方法を実行させるためのプログラムが提供される。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】本実施形態による決定装置１００が、二次電池１０から取得した情報に基づいて、二次電池１０に含まれる複数のセル１３の新たな接続構成を決定することを説明するための図である。
【図２】本実施形態による、二次電池１０から情報を取得する決定装置１００の一例のブロック図である。
【図３】本実施形態による決定方法の一例のフロー図である。
【図４】本実施形態による、現在の最大出力と、将来の最大出力の低下度合との関係の一例を説明するためのグラフである。
【図５】本実施形態による、総仕事量を特定するためのマトリックスの一例を示す図である。
【図６】本実施形態による決定方法の一例のフロー図である。
【図７】本実施形態による、総仕事量毎のセル１３の個数の一例を示すグラフである。
【図８】本発明の複数の態様が全体的又は部分的に具現化されうるコンピュータ１２００の例を示す図である。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１７】
図１は、本実施形態による決定装置１００が、二次電池１０から取得した情報に基づいて、二次電池１０に含まれる複数のセル１３の新たな接続構成を決定することを説明するための図である。本実施形態の二次電池１０は、一例として、ＥＶやＰＨＥＶなどの電気で駆動する車両で使用された後に、送電用のグリッド等で用いられる電力バッファ用の定置用蓄電池として再利用される。
【００１８】
二次電池１０は、例えば、全固体電池、リチウムイオン電池などであって、複数のセル１３と、各セル１３に取り付けられている計測器１５とを有する。各セル１３には、固有の識別子が割り振られており、二次電池１０によって管理される。各計測器１５は、各セル１３の電圧および抵抗を計測する。
【００１９】
電気で駆動する車両で使用される二次電池１０は、一例として、高い出力が必要とされる等の理由により、図１の左側に示すように複数のセル１３が互いに直列接続された構成を有する。一方で、上記の電力バッファ用に使用される二次電池１０は、一例として、一部のセル１３を交換する間にも稼働し続ける必要がある等の理由により、図１の右側に示すように並列接続された複数のセル１３の組み合わせが互いに直列接続された構成を有する。なお、図１の右側に示す構成では、複数の組み合わせはそれぞれ、並列接続された３個のセル１３を含む。
【００２０】
複数のセル１３は、劣化速度、すなわち最大出力の低下度合が互いに異なるため、複数のセル１３の最大出力は、同じ最大出力を有する状態で同じ利用先にて同時に使用され始めた場合であっても、使用開始から一定の時間が経過した時点で異なっている。従って、二次電池１０が、図１の左側に示す接続構成にて利用された後、二次電池１０に含まれる複数のセル１３の現在の最大出力および将来の最大出力の低下度合の両方を考慮することなく、図１の右側に示す接続構成へと再構成されて再利用される場合、互いに直列接続される上記の組み合わせ同士の間では、再利用開始時の最大出力も将来の最大出力の低下度合も異なる可能性が高い。
【００２１】
この場合、二次電池１０の再利用開始後に、複数の組み合わせの中で、最大出力が相対的に著しく低下した組み合わせが生じる可能性が有り、当該組み合わせの最大出力が二次電池１０の性能下限を下回ると、二次電池１０の放電を不可能にさせることになる。その結果、二次電池１０は、最大出力が相対的に高い他の組み合わせを満放電まで使うことができずに無駄となる。なお、ここで言う性能下限とは、二次電池１０を少なくとも当該下限以上で使用する限りにおいては、二次電池１０が過度に劣化したり、異常な劣化をしたり、動作が不安定になる事象が生じたりすることがないことを保障する下限であってもよい。
【００２２】
本実施形態による決定装置１００は、このような再利用先での無駄が生じないように、二次電池１０から取得した情報に基づいて、二次電池１０に含まれる複数のセル１３の新たな接続構成を決定する。決定装置１００は、二次電池１０から情報を取得すべく、二次電池１０と有線接続される。決定装置１００は、同様の目的で、二次電池１０と無線接続されてもよく、二次電池１０内の各計測器１５と有線または無線によって接続されてもよい。
【００２３】
図２は、本実施形態による、二次電池１０から情報を取得する決定装置１００の一例のブロック図である。決定装置１００は、制御部１０１と、格納部１０３と、表示部１０５とを備える。制御部１０１は、取得部１１１と、設定部１１３と、特定部１１４と、決定部１１５と、出力部１１９とを有する。
【００２４】
取得部１１１は、二次電池１０に含まれる複数のセル１３のそれぞれの、現在の最大出力を示す現在出力情報および将来の最大出力の低下度合を示す低下度合情報を取得する。本実施形態の取得部１１１は、一例として、二次電池１０から、各セル１３の識別子と、各セル１３の現在の劣化状態を示す劣化情報とを取得し、更に、例えばユーザから決定装置１００のユーザインターフェースを介して入力される、二次電池１０の将来の利用先、例えば上記の再利用先が電気で駆動する車両であるか否かを示す車両情報を取得する。本実施形態の取得部１１１は更に、取得した車両情報および劣化情報に基づき将来の最大出力の低下度合を予測することによって、複数のセル１３のそれぞれの低下度合情報を取得する。取得部１１１は、複数のセル１３の現在出力情報および低下度合情報を設定部１１３および特定部１１４に出力する。
【００２５】
上記の劣化情報は、セル１３を構成する、例えば負極や正極などの複数の部材のうち、何れの部材が痛んでいるのかを示す情報を含む。なお、取得部１１１は、取得した車両情報および劣化情報に基づいて各セル１３の低下度合を予測することによって低下度合情報を取得することに代えて、決定装置１００の外部から各セル１３の低下度合情報を取得してもよい。また、取得部１１１は、車両情報に代えて、二次電池１０の将来の利用先が、二次電池１０を定置用蓄電池として利用する住宅などであるか否かを示す情報を取得してもよい。
【００２６】
なお、二次電池１０の将来の利用先が電気で駆動する車両であるか当該車両以外の例えば住宅であるかということと、二次電池１０が現在の利用先で充放電を繰り返した結果として二次電池１０の各セル１３を構成する複数の部材のうち何れの部材が痛んでいるのかということとの間には相関がある。よって、本実施形態の取得部１１１は、劣化情報から、各セル１３の何れの構成部材が痛んでいるかを把握し、車両情報から、将来の利用先が車両であるか否かを把握することで、各セル１３における痛んでいる構成部品を将来の利用先で更に痛ませることになるのか否かを判断し、各セル１３の低下度合の予測を行う。
【００２７】
各セル１３の現在の最大出力を示す現在出力情報は、各計測器１５で計測される各セル１３の電圧値および内部抵抗の抵抗値に基づく情報であってもよい。なお、この場合に取得部１１１は、各セル１３の将来の最大出力の低下度合の予測精度を高めるべく、現在出力情報に加えて他の計測値を示す情報を二次電池１０から取得してもよい。例えば、当該情報は、各セル１３の使用履歴を示す情報を含んでもよく、具体的には、二次電池１０が充放電を行っていない期間における各セル１３の、ＳＯＣと、セル温度の滞在積算時間との関係性を示す情報や、二次電池１０が充電を行っている期間における各セル１３の、セル温度の滞在積算時間と、ＳＯＣ高さと、ＳＯＣの変化量である充放電電気量と、充放電電流の大きさの通電積算量との関係性を示す情報を含んでもよい。また、当該情報は、二次電池１０が充電を行っている期間における、セル１３の電流電圧応答データや、二次電池１０が充電を終了した直後における、無負荷状態のセル１３の電圧応答データなどを示す情報を含んでもよい。取得部１１１は、これらの他の計測値を示す情報に基づいて、各セル１３の内部抵抗の抵抗値を推定してもよい。また、取得部１１１は、例えば、予測により得られた将来の各時点での最大出力に対して最小二乗法による直線回帰を行うことで、将来の最大出力の低下度合として当該直線の傾きを算出してもよい。なお、以降の説明において、現在の最大出力を単に最大出力と呼び、将来の最大出力の低下度合を単に低下度合と呼ぶ場合がある。
【００２８】
設定部１１３は、複数のセル１３の現在出力情報および低下度合情報に基づいて、複数の出力範囲、複数の低下度合範囲、複数の総仕事量、および、仕事量範囲を設定する。設定部１１３は、これらの設定した範囲等を示す情報を格納部１０３に格納する。ここで言う総仕事量とは、セル１３が将来に充放電可能な量であり、複数の総仕事量は、複数の出力範囲のそれぞれに対応する値と複数の低下度合範囲のそれぞれに対応する値とを乗算することにより得られる。また、仕事量範囲とは、一例として、複数の総仕事量のうちの１又は複数の総仕事量を含む範囲である。
【００２９】
特定部１１４は、複数のセル１３のそれぞれについて、最大出力および低下度合に基づき、上記の総仕事量を特定する。特定部１１４は、各セル１３について特定した総仕事量を示す情報を決定部１１５に出力する。
【００３０】
本実施形態の特定部１１４は、一例として、複数のセル１３のそれぞれについて、最大出力が予め定められた複数の出力範囲の何れに入るのかを特定し、且つ、低下度合が予め定められた複数の低下度合範囲の何れに入るのかを特定してもよい。本実施形態において、これら複数の出力範囲および複数の低下度合範囲は、上記の通り、設定部１１３によって設定されたものであってもよく、特定部１１４は格納部１０３を参照することによって、これらの範囲を示す情報を取得してもよい。
【００３１】
本実施形態の特定部１１４は更に、一例として、上記の複数の総仕事量のうちから、上記の様に特定した出力範囲および低下度合範囲の組み合わせに対応する総仕事量を特定してもよい。本実施形態において、これら複数の総仕事量は、上記の通り、設定部１１３によって設定されたものであってもよく、特定部１１４は格納部１０３を参照することによって、複数の総仕事量を示す情報を取得してもよい。
【００３２】
決定部１１５は、複数のセル１３のうち、総仕事量が予め定められた仕事量範囲に入る２個以上のセル１３によって構成される組み合わせを決定する。決定部１１５は、決定した組み合わせを示す情報を出力部１１９に出力する。
【００３３】
本実施形態の決定部１１５は、一例として、当該仕事量範囲に含まれる複数のセル１３を用いて、セル数が同一である複数の組み合わせを決定してもよい。例えば、決定部１１５は、上記の仕事量範囲に含まれる１５個のセル１３を用いて、それぞれが３個のセル１３から構成される、５つの組み合わせを決定してもよい。本実施形態において、当該仕事量範囲は、上記の通り、設定部１１３によって設定されたものであってもよく、決定部１１５は格納部１０３を参照することによって、仕事量範囲を示す情報を取得してもよい。
【００３４】
出力部１１９は、決定部１１５によって決定された組み合わせを、二次電池１０内で互いに並列接続するセル１３の組み合わせとして示す情報を表示部１０５に出力する。本実施形態の出力部１１９は更に、一例として、決定部１１５によって決定された複数の組み合わせを二次電池１０内で互いに直列接続することを示す情報を表示部１０５に出力する。
【００３５】
格納部１０３は、決定装置１００の各構成を制御するためのシーケンスやプログラムなどを格納する。格納部１０３は、制御部１０１により参照される。
【００３６】
表示部１０５は、出力部１１９によって入力される、上記の組み合わせを示す情報をユーザに表示する。表示部１０５はまた、出力部１１９によって入力される、上記の複数の組み合わせを直列接続することを示す情報をユーザに表示してもよい。本実施形態の表示部１０５は、一例として、タッチパネルディスプレイや、押しボタンとモニタとの組み合わせであってもよく、この場合、上記の各種情報を表示するだけでなく、決定装置１００に対するユーザ入力を受け付けてもよい。
【００３７】
図３は、本実施形態による決定方法の一例のフロー図である。図３のフローは、一例として、決定装置１００に対するユーザ入力により開始する。
【００３８】
決定装置１００は、二次電池１０から各セル１３の現在出力情報および低下度合情報を取得する（ステップＳ１０１）。本実施形態の決定装置１００は、一例として、各セル１３の現在出力情報に基づいて低下度合を予測することにより低下度合情報を取得してもよい。決定装置１００は、取得した複数のセル１３の現在出力情報および低下度合情報に基づいて、複数の出力範囲、複数の低下度合範囲、および、複数の総仕事量を設定する（ステップＳ１０３）。
【００３９】
具体的な一例として、本実施形態の設定部１１３は、取得した複数のセル１３の現在出力情報および低下度合情報に基づいて、Ｘ１〜Ｘ３の３つの出力範囲、Ｋ１〜Ｋ３の３つの低下度合範囲、および、Ｓ１〜Ｓ９の９つの総仕事量を設定する。以下、図４および図５を用いて、具体的に説明する。
【００４０】
図４は、本実施形態による、現在の最大出力と、将来の最大出力の低下度合との関係の一例を説明するためのグラフである。図４に、Ｘ１〜Ｘ３の３つの出力範囲と、Ｋ１〜Ｋ３の３つの低下度合範囲との関係の一例を示す。図４のグラフの横軸は時間を指し、縦軸は最大出力［Ｗ］を指す。
【００４１】
図４に示す通り、Ｘ１〜Ｘ３のそれぞれは、一定の幅を有する最大出力の範囲であり、Ｋ１〜Ｋ３のそれぞれは、一定の幅を有する低下度合の範囲である。図４に示す通り、出力範囲Ｘ１〜Ｘ３は、Ｘ３、Ｘ２、Ｘ１の昇順に、該当するセル１３が高性能、すなわち最大出力が大きいことを意味し、低下度合範囲Ｋ１〜Ｋ３は、Ｋ１、Ｋ２、Ｋ３の昇順に、該当するセル１３が長寿命、すなわち低下度合が小さいことを意味する。なお、図４においては、説明を明確にすべく、出力範囲Ｘ１の平均値に対するＫ１〜Ｋ３の３つの低下度合範囲のみを示している。
【００４２】
本実施形態の設定部１１３は、一例として、複数のセル１３の現在出力情報に示される最大出力の最大値と最小値とを特定し、最大値と最小値とによって規定される範囲を均等に複数に分割することで、複数の出力範囲を設定する。例えば、設定部１１３は、上記の範囲を均等に３つに分割することで、図４に示すＸ１〜Ｘ３の３つの出力範囲を設定する。
【００４３】
また、本実施形態の設定部１１３は、一例として、複数のセル１３の低下度合情報に示される低下度合の最大値と最小値とを特定し、最大値と最小値とによって規定される範囲を均等に複数に分割することで、複数の低下度合範囲を設定する。例えば、設定部１１３は、上記の範囲を均等に３つに分割することで、図４に示すＫ１〜Ｋ３の３つの低下度合範囲を設定する。
【００４４】
図５は、本実施形態による、総仕事量を特定するためのマトリックスの一例を示す図である。図５において、行および列の一方を複数の出力範囲とし、他方を複数の低下度合範囲とし、行および列の各成分を複数の総仕事量とした、３行３列のマトリックスを示す。より具体的には、当該マトリックスは、３行をＸ１〜Ｘ３の３つの出力範囲とし、３列をＫ１〜Ｋ３の３つの低下度合範囲とし、３行３列の９成分をＳ１〜Ｓ９の９つの総仕事量とする。また、当該マトリックス内では、１行目から順にＸ１、Ｘ２、Ｘ３の降順とし、１列目から順にＫ１、Ｋ２、Ｋ３の昇順とする。
【００４５】
本実施形態の設定部１１３は、一例として、複数の出力範囲のそれぞれと複数の低下度合範囲のそれぞれとの複数の組み合わせに対応する複数の総仕事量を設定する。本実施形態において、複数の総仕事量は、複数の出力範囲のそれぞれに対応する値と複数の低下度合範囲のそれぞれに対応する値とを乗算することにより得られる。一例として、各総仕事量は、一定の幅を有する出力範囲の上限および下限と、一定の幅を有する低下度合範囲の上限および下限とをそれぞれ乗算することにより得られる、一定の幅を有する範囲であってもよい。一例として、各総仕事量は、一定の幅を有する出力範囲の平均値と一定の幅を有する低下度合範囲の平均値とを乗算することにより得られる値であってもよい。
【００４６】
例えば、設定部１１３は、一定の幅を有するＸ１〜Ｘ３の３つの出力範囲のそれぞれの平均値と、一定の幅を有するＫ１〜Ｋ３の３つの低下度合範囲のそれぞれの平均値とを乗算することにより得られる９つの値を、図５に示すＳ１〜Ｓ９の９つの総仕事量として設定する。図５に示すＳ１〜Ｓ９の９つの総仕事量について、Ｓ１はＸ１の平均値とＫ１の平均値との積であり、以下同様に、Ｓ２はＸ１とＫ２、Ｓ３はＸ１とＫ３、Ｓ４はＸ２とＫ１、Ｓ５はＸ２とＫ２、Ｓ６はＸ２とＫ３、Ｓ７はＸ３とＫ１、Ｓ８はＸ３とＫ２、Ｓ９はＸ３とＫ３の、各平均値の積である。
【００４７】
決定装置１００は、複数の総仕事量に基づいて仕事量範囲を設定する（ステップＳ１０４）。本実施形態の決定装置１００は、一例として、複数の総仕事量のうちの１又は複数の総仕事量を含む仕事量範囲を設定する。
【００４８】
具体的な一例として、本実施形態の設定部１１３は、Ｓ１〜Ｓ９の９つの総仕事量に基づいて、Ｓ１とＳ５とＳ９とを含む仕事量範囲を設定する。例えば、設定部１１３は、図５に示すマトリックスにおいて、複数の成分のうちの特定の成分である一の総仕事量、および、右斜め下方向に配列される複数の成分である複数の総仕事量を含む仕事量範囲を設定してもよい。より具体的には、設定部１１３は、当該マトリックスに示されるＳ１〜Ｓ９の９つの総仕事量のうち、互いの差分が予め定められた閾値以下であるＳ１、Ｓ５およびＳ９のそれぞれを仕事量範囲として設定してもよく、Ｓ１、Ｓ５およびＳ９の３つを含む範囲を仕事量範囲として設定してもよい。なお、上記の通り、設定部１１３は当該マトリックスを格納部１０３に格納してもよい。また、上記の閾値は、格納部１０３に格納されていてもよい。
【００４９】
決定装置１００は、Ｓ１〜Ｓ９の９つの総仕事量の中から、各セル１３の総仕事量を特定する（ステップＳ１０５）。具体的な一例として、本実施形態の特定部１１４は、格納部１０３に格納された上記のマトリックスを参照することにより、複数のセル１３のそれぞれについて、現在出力情報に示される最大出力がＸ１〜Ｘ３の３つの出力範囲の何れに入るのかを特定し、且つ、低下度合情報に示される低下度合がＫ１〜Ｋ３の３つの低下度合範囲の何れに入るのかを特定する。本実施形態の特定部１１４は更に、当該マトリックスに示されるＳ１〜Ｓ９の９つの総仕事量のうちから、上記の様に特定した出力範囲および低下度合範囲の組み合わせに対応する総仕事量を特定する。
【００５０】
決定装置１００は、Ｓ１、Ｓ５およびＳ９の３つの総仕事量のうちの一の総仕事量を有するものと特定した２個以上のセル１３が存在するか否かを判断する（ステップＳ１０７）。具体的な一例として、本実施形態の決定部１１５は、図５に示すマトリックスにおいて、総仕事量Ｓ１に該当するセル１３が３個存在するか否かを判断し、同様に、総仕事量Ｓ５およびＳ９のそれぞれに該当するセル１３が３個存在するか否かを判断する。
【００５１】
決定装置１００は、上記で存在すると判断した場合には（ステップＳ１０７：ＹＥＳ）、３個のセル１３を互いに並列接続する組み合わせとして決定して（ステップＳ１０９）、ステップＳ１０７を繰り返し、存在しないと判断した場合には（ステップＳ１０７：ＮＯ）、Ｓ１、Ｓ５およびＳ９のそれぞれを有するものと特定した２個以上のセル１３が存在するか否かを判断する（ステップＳ１１１）。具体的な一例として、本実施形態の決定部１１５は、図５に示すマトリックスにおいて、総仕事量Ｓ１に該当する１個のセル１３と、総仕事量Ｓ５に該当する１個のセル１３と、総仕事量Ｓ９に該当する１個のセル１３とが存在するか否かを判断する。
【００５２】
決定装置１００は、上記で存在すると判断した場合には（ステップＳ１１１：ＹＥＳ）、３個のセル１３を互いに並列接続する組み合わせとして決定して（ステップＳ１１３）、ステップＳ１１１を繰り返し、存在しないと判断した場合には（ステップＳ１１１：ＮＯ）、決定した各組み合わせを、二次電池１０内で互いに並列接続するセル１３の組み合わせとして示し、且つ、これら複数の組み合わせを二次電池１０内で互いに直列接続することを示す情報をユーザに表示し（ステップＳ１１５）、当該フローは終了する。
【００５３】
本実施形態の決定装置１００がユーザに表示する上記の情報によれば、再構成される二次電池１０内で直列接続される複数の組み合わせには、Ｓ１の総仕事量を有するセル１３のみから構成される、現在の最大出力が高く低下度合も高い第１組み合わせと、Ｓ５の総仕事量を有するセル１３のみから構成される、現在の最大出力も低下度合も中間的な第２組み合わせと、Ｓ９の総仕事量を有するセル１３のみから構成される、現在の最大出力が低く低下度合も低い第３組み合わせと、Ｓ１、Ｓ５およびＳ９のそれぞれの総仕事量を有するセル１３の組み合わせから構成される第４組み合わせと、が含まれる。現在の最大出力が高い第１組み合わせは劣化速度が速く、現在の最大出力が低い第３組み合わせは劣化速度が遅く、第２および第４組み合わせは中間的な劣化速度であり、当該再構成される二次電池１０を使用していくと、将来の特定の時点に至るまで、結果的にこれら４つの組み合わせの最大出力は互いに同程度になるように低下していく。
【００５４】
よって、本実施形態の決定装置１００によれば、上記の情報に従って再構成した二次電池１０の再利用開始後に、複数の組み合わせの中で、最大出力が相対的に著しく低下した組み合わせが生じて二次電池１０の放電を不可能にさせる可能性を低くすることができ、その結果、最大出力が相対的に高い他の組み合わせを満放電まで使うことができずに無駄となる可能性を低くすることができる。
【００５５】
なお、本実施形態の決定装置１００は、再構成しようとする二次電池１０に含まれている複数のセル１３のうち、上記の組み合わせに含めないセル１３を、当該二次電池１０内に含めず、例えば他の用途に用いたり、他の二次電池で同様に余ったセルと組み合わせて、上記同様の方針で別の二次電池を再構成するのに用いたりしてもよい。例えば、図５に示すマトリックスにおいて、Ｓ３の総仕事量を有すると特定された、最も高品質な１又は複数のセル１３のみを、又は複数の他の二次電池において同様にＳ３の総仕事量を有すると特定された１又は複数のセル１３と共に、他の総仕事量を有するセル１３を含ませることなく、別の二次電池を再構成するのに用いたりしてもよい。また、Ｓ２とＳ６（又はＳ４とＳ８）の総仕事量のうちの一の総仕事量を有する又はそれぞれの総仕事量を有する１又は複数のセル１３のみを、又は複数の他の二次電池において同様にＳ２とＳ６（又はＳ４とＳ８）のうちの一の総仕事量を有する又はそれぞれの総仕事量を有すると特定された１又は複数のセル１３と共に、他の総仕事量を有するセル１３を含ませることなく、別の二次電池を再構成するのに用いたりしてもよい。
【００５６】
なお、本実施形態の決定装置１００は、再構成しようとする二次電池１０に含まれる複数のセル１３の現在出力情報および低下度合情報に基づいて、複数の出力範囲、複数の低下度合範囲、複数の総仕事量、および、仕事量範囲を設定することに代えて、例えば当該二次電池１０がどんな用途でどれくらいの期間使用されていたのかを示す情報を取得し、当該情報に基づいて、図５に示したマトリックスと同様の、予め用意された複数のマトリックスから、特定のマトリックスを選択し、当該マトリックスを用いて各セル１３の総仕事量を特定してもよい。当該複数のマトリックスは、例えば統計情報に基づいて予め生成されたものであってもよく、予め格納部１０３に格納されていてもよい。
【００５７】
図６は、本実施形態による決定方法の一例のフロー図である。本実施形態による決定装置１００は、図１から図５を用いて説明した実施形態における決定装置１００の設定部１１３を備えなくてもよい。この場合、決定装置１００は、複数のセル１３の現在出力情報および低下度合情報に基づいて、複数の出力範囲、複数の低下度合範囲、複数の総仕事量、および、仕事量範囲を設定しなくてもよい。更に、決定装置１００は、複数のセル１３のそれぞれについて、最大出力が複数の出力範囲の何れに入るのかを特定しなくてもよく、低下度合が複数の低下度合範囲の何れに入るのかを特定しなくてもよい。更に、決定装置１００は、複数の出力範囲のそれぞれに対応する値と複数の低下度合範囲のそれぞれに対応する値とを乗算することにより得られる複数の総仕事量のうちから、上記の様に特定した出力範囲および低下度合範囲の組み合わせに対応する総仕事量を特定しなくてもよい。
【００５８】
図６のフローは、一例として、決定装置１００に対するユーザ入力により開始する。決定装置１００は、二次電池１０から各セル１３の現在出力情報および低下度合情報を取得する（ステップＳ２０１）。決定装置１００は、複数のセル１３のそれぞれについて、現在の最大出力と将来の最大出力の低下度合とを乗算することにより得られる値に対応する総仕事量を特定する（ステップＳ２０３）。
【００５９】
具体的な一例として、本実施形態による特定部１１４は、複数のセル１３のそれぞれについて、現在の最大出力と将来の最大出力の低下度合とを乗算することにより得られる値に対応する総仕事量を特定する。本実施形態において、複数の総仕事量は、設定部１１３によって設定され、特定部１１４は、設定部１１３によって設定された複数の総仕事量の中から一の総仕事量を特定してもよい。より具体的には、設定部１１３は、複数のセル１３について得られる複数の上記値の最大値と最小値とを特定し、最大値と最小値とによって規定される範囲を均等に複数に分割することで、それぞれが一定の幅を有する範囲である複数の総仕事量を設定してもよい。特定部１１４は、これら複数の総仕事量のうち、セル１３について得られる値が含まれる一の総仕事量を特定してもよい。
【００６０】
決定装置１００は、複数のセル１３について特定された複数の総仕事量に基づき仕事量範囲を設定する（ステップＳ２０５）。具体的な一例として、本実施形態による設定部１１３は、複数のセル１３について特定された複数の総仕事量に基づき仕事量範囲を設定する。以下、図７を用いて、具体的に説明する。
【００６１】
図７は、本実施形態による、仕事量範囲を設定するためのグラフである。図７に、Ｓ−１〜Ｓ−９の９つの総仕事量と、総仕事量毎のセル１３の個数との関係の一例を示す。図７のグラフの横軸は総仕事量を指し、縦軸はセル１３の個数を指す。
【００６２】
図７に示す通り、総仕事量Ｓ−１〜Ｓ−９は、Ｓ−１、Ｓ−２、Ｓ−３、Ｓ−４、Ｓ−５、Ｓ−６、Ｓ−７、Ｓ−８、Ｓ−９の昇順に、該当するセル１３が大きな総仕事量を有することを意味する。本実施形態の設定部１１３は、一例として、該当するセル１３の個数が最も多い一の総仕事量と、当該一の総仕事量との差分が予め定められた閾値以下である１又は複数の総仕事量とを含む仕事量範囲を設定してもよい。例えば、設定部１１３は、図７に示すグラフにおいて、最も多い１７個のセル個数が該当しているＳ−５と、Ｓ−５に隣接するＳ−４およびＳ−６とを含む仕事量範囲を設定してもよい。なお、上記の閾値は、予め格納部１０３に格納されていてもよい。
【００６３】
決定装置１００は、Ｓ−４、Ｓ−５およびＳ−６の３つの総仕事量のうちの一の総仕事量を有するものと特定した２個以上のセル１３が存在するか否かを判断する（ステップＳ２０７）。具体的な一例として、本実施形態の決定部１１５は、図７に示すグラフにおいて、総仕事量Ｓ−５に該当するセル１３が３個存在するか否かを判断し、同様に、総仕事量Ｓ−４およびＳ−６のそれぞれに該当するセル１３が３個存在するか否かを判断する。
【００６４】
決定装置１００は、上記で存在すると判断した場合には（ステップＳ２０７：ＹＥＳ）、３個のセル１３を互いに並列接続する組み合わせとして決定して（ステップＳ２０９）、ステップＳ２０７を繰り返し、存在しないと判断した場合には（ステップＳ２０７：ＮＯ）、Ｓ−４、Ｓ−５およびＳ−６のそれぞれを有するものと特定した２個以上のセル１３が存在するか否かを判断する（ステップＳ２１１）。具体的な一例として、本実施形態の決定部１１５は、図７に示すグラフにおいて、総仕事量Ｓ−４に該当する１個のセル１３と、総仕事量Ｓ−５に該当する１個のセル１３と、総仕事量Ｓ−６に該当する１個のセル１３とが存在するか否かを判断する。
【００６５】
決定装置１００は、上記で存在すると判断した場合には（ステップＳ２１１：ＹＥＳ）、３個のセル１３を互いに並列接続する組み合わせとして決定して（ステップＳ２１３）、ステップＳ２１１を繰り返し、存在しないと判断した場合には（ステップＳ２１１：ＮＯ）、決定した各組み合わせを、二次電池１０内で互いに並列接続するセル１３の組み合わせとして示し、且つ、これら複数の組み合わせを二次電池１０内で互いに直列接続することを示す情報をユーザに表示し（ステップＳ２１５）、当該フローは終了する。本実施形態の決定装置１００によっても、図１〜５を用いて説明した実施形態と同様の効果を奏する。
【００６６】
以上の実施形態による決定装置１００は、１次利用先で使用済の複数のセル１３の接続構成を再構成した二次電池１０を２次利用先で再利用する場合に適用されるものとして説明した。これに加えて又は代えて、決定装置１００は、未使用の複数のセル１３の接続構成を新たに構成した二次電池１０を利用する場合に適用されてもよい。この場合、未使用の複数のセル１３間では、現在の最大出力および将来の最大出力の低下度合にバラつきがあるものとする。
【００６７】
また、これに加えて又は代えて、決定装置１００は、特定の利用先で使用済の複数のセル１３の接続構成を再構成した二次電池１０を同じ利用先で再利用する場合に適用されてもよい。この場合、二次電池１０に含まれていた複数のセル１３には、他のセル１３と比べて、最大出力が低く且つ将来の低下度合が高いセル１３が含まれている場合がある。当該セル１３は、残りのセル１３と直列接続させた場合であっても、並列接続させた場合であっても、最大出力が相対的に著しく低下して二次電池１０の性能下限を下回る可能性があり、二次電池１０の充放電を不可能にさせる可能性がある。また、二次電池１０からこのようなセル１３を複数引き抜いた場合に、利用先で要求される出力を確保できない可能性がある。そこで、再構成する二次電池１０には、他の二次電池で使用されていたセル１３や、未使用のセル１３が含まれていてもよい。利用先の一例は、電気で駆動する車両や住宅であってもよい。
【００６８】
他の実施形態による二次電池は、上記の実施形態で説明した決定装置１００を備える。当該実施形態による二次電池の決定装置は、少なくとも、上記の実施形態による決定装置１００が備える取得部１１１、特定部１１４、決定部１１５および出力部１１９と同じ構成を備える。当該実施形態による二次電池の決定装置は更に、上記の実施形態による決定装置１００が備える他の構成と同じ構成を備えてもよい。
【００６９】
本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００７０】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００７１】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【００７２】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００７３】
図８は、本発明の複数の態様が全体的又は部分的に具現化されうるコンピュータ１２００の例を示す。コンピュータ１２００にインストールされたプログラムは、コンピュータ１２００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ１２００に、本発明の実施形態に係るプロセス又は当該プロセスの段階を実行させることができる。このようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００７４】
本実施形態によるコンピュータ１２００は、ＣＰＵ１２１２、ＲＡＭ１２１４、グラフィックコントローラ１２１６、及びディスプレイデバイス１２１８を含み、これらはホストコントローラ１２１０によって相互に接続される。コンピュータ１２００はまた、通信インターフェース１２２２、ハードディスクドライブ１２２４、ＤＶＤ−ＲＯＭドライブ１２２６、及びＩＣカードドライブのような入出力ユニットを含み、これらは入出力コントローラ１２２０を介してホストコントローラ１２１０に接続される。コンピュータはまた、ＲＯＭ１２３０及びキーボード１２４２のようなレガシの入出力ユニットを含み、これらは入出力チップ１２４０を介して入出力コントローラ１２２０に接続される。
【００７５】
ＣＰＵ１２１２は、ＲＯＭ１２３０及びＲＡＭ１２１４内に格納されたプログラムに従い動作し、これにより各ユニットを制御する。グラフィックコントローラ１２１６は、ＲＡＭ１２１４内に提供されるフレームバッファ等又は当該グラフィックコントローラ１２１６自体の中に、ＣＰＵ１２１２によって生成されるイメージデータを取得し、イメージデータがディスプレイデバイス１２１８上に表示させる。
【００７６】
通信インターフェース１２２２は、ネットワークを介して他の電子デバイスと通信する。ハードディスクドライブ１２２４は、コンピュータ１２００内のＣＰＵ１２１２によって使用されるプログラム及びデータを格納する。ＤＶＤ−ＲＯＭドライブ１２２６は、プログラム又はデータをＤＶＤ−ＲＯＭ１２０１から読み取り、ハードディスクドライブ１２２４にＲＡＭ１２１４を介してプログラム又はデータを提供する。ＩＣカードドライブは、プログラム及びデータをＩＣカードから読み取り、及び／又はプログラム及びデータをＩＣカードに書き込む。
【００７７】
ＲＯＭ１２３０は、内部に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをパラレルポート、シリアルポート、キーボードポート、マウスポート等を介して、入出力コントローラ１２２０に接続してよい。
【００７８】
プログラムが、ＤＶＤ−ＲＯＭ１２０１又はＩＣカードのようなコンピュータ可読記憶媒体によって提供される。プログラムは、コンピュータ可読記憶媒体から読み取られ、コンピュータ可読記憶媒体の例でもあるハードディスクドライブ１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００７９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インターフェース１２２２に対し、通信処理を命令してよい。通信インターフェース１２２２は、ＣＰＵ１２１２の制御の下、ＲＡＭ１２１４、ハードディスクドライブ１２２４、ＤＶＤ−ＲＯＭ１２０１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００８０】
また、ＣＰＵ１２１２は、ハードディスクドライブ１２２４、ＤＶＤ−ＲＯＭドライブ１２２６（ＤＶＤ−ＲＯＭ１２０１）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００８１】
様々なタイプのプログラム、データ、テーブル、及びデータベースのような、様々なタイプの情報が、情報処理されるべく、記録媒体に格納されてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、これにより予め定められた条件を満たす第１の属性に関連付けられた第２の属性の属性値を取得してよい。
【００８２】
以上の説明によるプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、これにより、プログラムをコンピュータ１２００にネットワークを介して提供する。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、特許請求の範囲の記載から明らかである。
【００８４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８５】
１０  二次電池、１３  セル、１５  計測器、１００  決定装置、１０１  制御部、１０３  格納部、１０５  表示部、１１１  取得部、１１３  設定部、１１４  特定部、１１５  決定部、１１９  出力部、１２００  コンピュータ、１２０１  ＤＶＤ−ＲＯＭ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インターフェース、１２２４  ハードディスクドライブ、１２２６  ＤＶＤ−ＲＯＭドライブ、１２３０  ＲＯＭ、１２４０  入出力チップ、１２４２  キーボード
【図１】
2020187827.tif 000003
【図２】
2020187827.tif 000004
【図３】
2020187827.tif 000005
【図４】
2020187827.tif 000006
【図５】
2020187827.tif 000007
【図６】
2020187827.tif 000008
【図７】
2020187827.tif 000009
【図８】
2020187827.tif 000010